(57)【要約】【課題】発光面における輝度の均斉度の向上を図る。【解決手段】入射面30は、発光素子10の光軸Ｘとのなす角度θ１がゼロより大きく且つ２分のπ未満の所定の角度範囲に入射する光を光軸Ｘから離れる向きに屈折させる形状に形成されている。出射面32は、発光素子10の光軸Ｘと交わる点ＰＸを含む領域に設けられて発光素子10に近付く向き(下向き)に凹んだ凹曲面からなる第１出射面320と、領域の外側に設けられる曲面形状の第２出射面321とを有する。出射面32は、第１屈折角θ１に対する第２屈折角θ２の比θ２／θ１が１よりも大きくなり(θ２／θ１＞１)、且つ第１屈折角θ１が増加するにつれて前記比が一旦増大した後、徐々に前記比が減少するような変化を生じさせる形状に形成される。【選択図】        図１
2014120289.tif 000002
【特許請求の範囲】
【請求項１】
矩形箱状に構成されて前面より光を放射する照明ユニットと、複数の前記照明ユニットを同一面上に並べて保持する器具本体とを備えた照明器具において、
前記照明ユニットは、基板上に、複数個の発光素子が縦横且つ等間隔に並べて実装されてなる光源部と、一面が開口した矩形箱状に形成されて前記光源部を収納する筐体と、前記基板又は前記筐体に保持されて前記発光素子から放射される光の配光を制御する複数の光学部材と、透光性及び光拡散性を有し前記筐体の開口を覆う矩形箱状に形成されて前記筐体に保持されるカバーとを備え、
前記複数の光学部材は、透光性を有する材料からなり、前記発光素子の発光面を覆い且つ入射する光を屈折させる入射面と、前記入射面に入射する前記光が伝搬する媒質部と、前記媒質部を伝搬してきた前記光を屈折させて出射する出射面とを有し、
前記複数の光学部材のうちで、少なくとも前記カバーの側壁に隣接する前記光学部材の前記出射面は、前記媒質部を伝搬して前記出射面に達する光の伝搬方向と前記発光素子の光軸とのなす角度を第１屈折角θ１とし、前記出射面から出射した後の前記光の伝搬方向と前記光軸とのなす角度を第２屈折角θ２としたとき、前記第１屈折角に対する前記第２屈折角の比θ２／θ１が１よりも大きくなり、且つ前記第１屈折角が増加するにつれて前記比が一旦増大した後、徐々に前記比が減少するような変化を生じさせる形状に形成されることを特徴とする照明器具。
【請求項２】
複数の前記光学部材が互いに連結されていることを特徴とする請求項１記載の照明器具。
【請求項３】
前記入射面又は前記出射面の少なくとも何れか一方に、前記光を拡散させる拡散部が設けられることを特徴とする請求項１又は２記載の照明器具。
【請求項４】
前記照明ユニットを前記器具本体に着脱自在に保持させる保持手段を備えることを特徴とする請求項１〜３の何れか１項に記載の照明器具。
【発明の詳細な説明】
【技術分野】
【０００１】
本発明は、照明器具に関し、特に発光ダイオードなどの固体発光素子を光源に用いる照明器具に関する。
【背景技術】
【０００２】
近年、白熱灯や蛍光灯に代わる光源として、低消費電力且つ長寿命である発光ダイオードが注目されている。発光ダイオードは、それ自体は白熱灯や蛍光灯に比べて非常に小さいものであるから、白熱灯や蛍光灯と同等の照射範囲を得るために、レンズなどの光制御部材が用いられる場合が多い。
【０００３】
ここで、発光ダイオードの光を制御する光制御部材の従来例として、特許文献１記載のものを例示する。特許文献１記載の光制御部材は、図１３に示すように平面形状が略円形であり、裏面側に、発光素子40の光出射面80に密着する凹み100が形成されている。この凹み100は光制御部材50の裏面側の中心に位置し、発光素子40の半球状の光出射面80に密着するような半球状に形成されている。そして、このような光制御部材50は、裏面側の平面部110が発光素子40の取付基板120に接着固定されるとともに、その裏面側の凹み100が発光素子40の光出射面80に接着固定されるようになっている。
【０００４】
また、この光制御部材50は、その外表面側に光制御出射面60が形成されている。この光制御出射面60は、光軸Ｌを中心とする所定範囲に位置する第１の出射面60aと、第１の出射面60aの周囲に連続して形成される第２の出射面60bとからなる。このうち、第１の出射面60aは、下に凸の滑らかな曲面形状であり、球の一部を切り取ったような凹み形状になっている。また、第２の出射面60bは、第１の出射面60aに連続して形成される、上に凸の滑らかな曲面形状であり、その平面形状が第１の出射面60aを取り囲む略中空円板形状に形成されている。そして、これら第１の出射面60aと第２の出射面60bが滑らかに接続され、その両出射面60a，60bの接続部分が変曲点になっている。また、光制御出射面60を構成する第２の出射面60bの外周側には、第２の出射面60bと裏面の平面部110とを接続する第３の出射面60cが形成されている。
【０００５】
ここで、発光素子40の光軸Ｌに直交する水平面を基準面Ｃとすると、発光素子40から出射して光制御部材50内を伝播した光Ｈが光制御出射面60から出射する位置(図１３の断面における光制御出射面60と光Ｈとの交点Ｐｘ)で基準面Ｃに平行に引いた線をＡとする。また、発光素子40からの光Ｈが光制御出射面60から出射する位置Ｐｘにおける光制御出射面60の輪郭線に対する接線Ｂと線Ａとのなす角をθ３とする。さらに、光制御出射面60に到達した光Ｈと、到達点Ｐｘを通り発光素子40の光軸Ｌに平行な線とのなす角をθ１とする。そして、光制御部材50の内部を伝播した発光素子40からの光Ｈが光制御部材50の光制御出射面60から出射する出射角(光制御出射面60から出射する光Ｈと光軸Ｌとのなす角)をθ５とする。
【０００６】
光制御出射面60は、発光素子40から出射される光のうちで、少なくとも最大強度の光が出射される方向(光軸Ｌに沿った方向且つ基準面Ｃの法線方向に沿った方向)から最大強度の半分の値となる光が出射される方向までの角度範囲を含む所定の範囲内において、法線(光軸Ｌ)の近傍の光を除き、θ１とθ５の関係が（θ５／θ１）＞１となり、且つθ５／θ１の値をθ１の増加にしたがって徐々に減少させるような形状に形成されている。
【０００７】
特許文献１記載の光制御部材50では、発光素子40からの光Ｈが、光制御部材50の内部を伝播した後、光制御出射面60から外部(空気中)にスネルの法則にしたがって出射する。この際、光制御部材50から出射される発光素子40からの光は、半球状の光制御部材50から出射される光に比較して、発光素子40の直上などで局部的に出射されず、照射範囲内に向けて均一に且つ滑らかに拡げて出射させられる。
【０００８】
また、特許文献１記載の光制御部材50を用いた照明器具の一例を図１４に示す。この照明器具は、光源部１と、光源部１を収納する筐体４と、透光性を有するカバー５とを備える。光源部１は、正方形状に形成された基板11と、基板11の表面(上面)に一定の間隔を空け且つ縦横に並べて実装された多数の発光素子10と、各発光素子10毎に設けられた多数の光制御部材50とを有する。
【０００９】
一方、筐体４は、透光性を有さない材料(例えば、金属板)で一面(上面)が開口した矩形箱状に形成され、内底面に光源部１が固定される。カバー５は、アクリル樹脂やポリカーボネート樹脂などの透光性を有する材料で一面(下面)が開口した矩形箱状に形成され、内側に収めるようにして筐体４に被せられる。
【００１０】
而して、発光素子10から放射される光は、光制御部材50によって均一且つ滑らかに拡げて出射され、カバー５を通して被照射面に照射される。
【先行技術文献】
【特許文献】
【００１１】
【特許文献１】特許第４３５７５０８号公報
【発明の概要】
【発明が解決しようとする課題】
【００１２】
ところで、上述した照明器具では、筐体４に固定するためのねじが挿通されるねじ挿通孔が基板11の端に複数設けられ、また、発光素子10と筐体４との絶縁距離を確保するため、基板11の周縁部分を除く中央寄りの部分に発光素子10が実装される。そうすると、特許文献１記載の光制御部材50を使用した場合、発光素子10の光が広範囲且つ滑らかに照射されるため、特定の方向(カバー５の縁に向かう方向)の光が相対的に減少し、正面から見たときにカバー５前面(発光面)の周縁が暗く(輝度が低く)なってしまう(図５(ｂ)及び図６(ｂ)参照)。
【００１３】
本発明は、上記課題に鑑みて為されたものであり、発光面における輝度の均斉度の向上を図ることを目的とする。
【課題を解決するための手段】
【００１４】
本発明の照明器具は、矩形箱状に構成されて前面より光を放射する照明ユニットと、複数の前記照明ユニットを同一面上に並べて保持する器具本体とを備えた照明器具において、前記照明ユニットは、基板上に、複数個の発光素子が縦横且つ等間隔に並べて実装されてなる光源部と、一面が開口した矩形箱状に形成されて前記光源部を収納する筐体と、前記基板又は前記筐体に保持されて前記発光素子から放射される光の配光を制御する複数の光学部材と、透光性及び光拡散性を有し前記筐体の開口を覆う矩形箱状に形成されて前記筐体に保持されるカバーとを備え、前記複数の光学部材は、透光性を有する材料からなり、前記発光素子の発光面を覆い且つ入射する光を屈折させる入射面と、前記入射面に入射する前記光が伝搬する媒質部と、前記媒質部を伝搬してきた前記光を屈折させて出射する出射面とを有し、前記複数の光学部材のうちで、少なくとも前記カバーの側壁に隣接する前記光学部材の前記出射面は、前記媒質部を伝搬して前記出射面に達する光の伝搬方向と前記発光素子の光軸とのなす角度を第１屈折角θ１とし、前記出射面から出射した後の前記光の伝搬方向と前記光軸とのなす角度を第２屈折角θ２としたとき、前記第１屈折角に対する前記第２屈折角の比θ２／θ１が１よりも大きくなり、且つ前記第１屈折角が増加するにつれて前記比が一旦増大した後、徐々に前記比が減少するような変化を生じさせる形状に形成されることを特徴とする。
【００１５】
この照明器具において、複数の前記光学部材が互いに連結されていることが好ましい。
【００１６】
この照明器具において、前記入射面又は前記出射面の少なくとも何れか一方に、前記光を拡散させる拡散部が設けられることが好ましい。
【００１７】
この照明器具において、前記照明ユニットを前記器具本体に着脱自在に保持させる保持手段を備えることが好ましい。
【発明の効果】
【００１８】
本発明の照明器具は、発光面における輝度の均斉度の向上を図ることができるという効果がある。
【図面の簡単な説明】
【００１９】
【図１】本発明に係る照明器具の実施形態における光学部材を示し、(ａ)は断面図、(ｂ)は第１屈折角θ１と第１屈折角θ１に対する第２屈折角θ２の比との関係を表した図である。
【図２】(ａ)は同上における光学部材の光路を示す断面図、(ｂ)は従来例における光学部材の光路を示す断面図である。
【図３】(ａ)は同上における光学部材の配光特性を示す図、(ｂ)は従来例における光学部材の配光特性を示す図である。
【図４】同上における照明ユニットを示し、(ａ)は一部破断した正面図、(ｂ)は一部破断した側面図、(ｃ)は背面図、(ｄ)は一部破断した側面図である。
【図５】(ａ)は同上における発光面の輝度分布図、(ｂ)は従来例における発光面の輝度分布図である。
【図６】(ａ)は同上における発光面の輝度分布図、(ｂ)は従来例における発光面の輝度分布図である。
【図７】同上における光学ブロックの別の構成を示す斜視図である。
【図８】同上の分解斜視図である。
【図９】同上を示し、(ａ)は側断面図、(ｂ)は一部破断した正面図である。
【図１０】同上の側断面図である。
【図１１】(ａ)〜(ｄ)は同上の斜視図である。
【図１２】(ａ)〜(ｅ)は同上の正面図である。
【図１３】従来例における光学部材の断面図である。
【図１４】従来例を示し、(ａ)は分解斜視図、(ｂ)は平面図である。
【発明を実施するための形態】
【００２０】
以下、本発明に係る照明器具の実施形態を図面を参照して詳細に説明する。
【００２１】
まず、本実施形態の照明器具を構成する照明ユニットＡについて、図４を参照して説明する。照明ユニットＡは、光源部１、光学ブロック２、筐体４、カバー５などを備える。
【００２２】
光源部１は、複数個(図示例では３６個)の発光素子(発光ダイオード)10が、四隅を面取りした略正方形状の基板11の表面に、縦横且つ等間隔に並べて実装されて構成されている。なお、図示は省略しているが、各発光素子10に通電するための配線パターンが基板11の表面に印刷され、当該配線パターンの末端がレセプタクルコネクタ(図示せず)に接続されている。基板11は、リジット基板あるいはフレキシブル基板、リジットフレキシブル基板の何れでも構わない。また、発光素子10は、発光ダイオード(ＬＥＤ)チップと、透光性を有し且つ蛍光材料が混合された合成樹脂(例えば、シリコーン樹脂)製の封止部材とで構成される。すなわち、ＬＥＤチップから放射される光(例えば、青色光)の一部が蛍光材料で波長変換され、波長変換された光(例えば、黄色光)と波長変換されなかった光(青色光)が混ざることにより、発光素子10から放射される光が全体として白色光となる。
【００２３】
基板11には、給電線12が挿通される挿通孔110が貫通している。給電線12の先端にはプラグコネクタ13が接続されている。このプラグコネクタ13が、レセプタクルコネクタと接続される。
【００２４】
筐体４は、金属板が曲げ加工されてなり、正方形状の底板40と、底板40の４つの片からそれぞれ同一方向に曲げ起こされた４つの側板41とを有し、一面(前面)が開口する矩形箱状に形成されている。ただし、筐体４を形成する材料は金属に限定されず、使用用途及び使用環境において要求される耐熱温度や耐久性を満足する材料(例えば、合成樹脂など)であればよい。
【００２５】
カバー５は、アクリル樹脂やポリカーボネート樹脂、シクロオレフィン系樹脂などの透光性を有する材料によって、一面(後面)が開口する矩形箱状に形成されている。ただし、カバー５の開口部の縦横の寸法は筐体４の縦横寸法よりも大きく設定されており、図４(ｂ)，(ｄ)に示すように筐体４の開口面(前面)を塞ぐように筐体４に被せられる。
【００２６】
光学ブロック２は、矩形平板状の基材20と、発光素子10と同数(図示例では３６個)の光学部材３とが、アクリル樹脂やポリカーボネート樹脂、シクロオレフィン系樹脂などの透光性を有する材料で一体に形成されてなる。なお、光学部材３の構造については、後で詳細に説明する。
【００２７】
光源部１は、基板11が筐体４の底板40にねじ止めされることで筐体４の内底面に固定される。ただし、基板11を筐体４の底板40に接着して固定してもよい。また、光学ブロック２は、基材20が筐体４の底板40にねじ止めされることで筐体４の内底面に固定される。なお、本実施形態では、複数の光学部材３が基材20と一体に形成されることで互いに連結されているので、従来例のように連結されていない場合と比較して、筐体４への固定が容易になるという利点がある。
【００２８】
光源部１及び光学ブロック２が収納された筐体４の前面からカバー５が被せられ、ねじ止めによってカバー５と筐体４が固定される。つまり、光源部１から放射されて光学ブロック２で配光制御された光がカバー５を通して筐体４の前方(図４(ｂ)における上方)に照射される。
【００２９】
また、筐体４の底板40の後面側に一対のばね保持体42がねじ止めされている。ただし、ばね保持体42を底板40にねじ止めしているねじは、光学ブロック２を底板40にねじ止めしているねじと共用している。
【００３０】
ばね保持体42は、いわゆるキックばね43を保持するためのものであり、長手方向における中央に突設された連結部420にキックばね43を連結して保持している。このキックばね43は、ばね鋼線をコイル状に巻回してなるコイル部430と、コイル部430の両端をそれぞれＶ字状に延出した一対の腕部431と、各腕部431の先端を略円弧状に湾曲させた引掛部432とを有している。キックばね43は、コイル部430に連結部420が挿通されることでばね保持体42に保持される。
【００３１】
さらに、筐体４の底板40には、給電線12を引き出すための引出孔400が貫通している。引出孔400から引き出される給電線12は、アース線15とともにプラグコネクタ16に接続されている。アース線15は、一端が底板40にねじ止めされ、他端にプラグコネクタ16が接続されている。なお、給電線12及びアース線15は、底板40にねじ止めされたコードフック17に引っ掛けて保持されている。プラグコネクタ16は、図示しないレセプタクルコネクタに接続される。そして、後述する電源装置７から給電線12を介して光源部１に直流電力が給電される。
【００３２】
次に、光学部材３について詳しく説明する。
【００３３】
光学部材３は、図１(ａ)に示すように発光素子10の発光面を覆い且つ入射する光を屈折させる入射面30と、入射面30に入射する光が伝搬する媒質部31と、媒質部31を伝搬してきた光を屈折させて出射する出射面32とを有する。
【００３４】
入射面30は、発光素子10の光軸Ｘとのなす角度θ１がゼロより大きく且つ２分のπ未満の所定の角度範囲に入射する光を光軸Ｘから離れる向きに屈折させる形状、例えば、回転放物面又は回転放物面に類似した形状に形成されている。ただし、透光性を有する材料(例えば、シリコーン樹脂など)を入射面30に囲まれた空間内に充填して発光素子10を封止しても構わない。
【００３５】
出射面32は、発光素子10の光軸Ｘと交わる点ＰＸを含む領域に設けられて発光素子10に近付く向き(下向き)に凹んだ凹曲面からなる第１出射面320と、領域の外側に設けられる曲面形状の第２出射面321とを有する。ただし、第１出射面320と第２出射面321の断面における境界が変曲点ＰＹとなっている。
【００３６】
ここで、媒質部31を伝搬して出射面32に達する光の伝搬方向と光軸Ｘとのなす角度を第１屈折角θ１とし、出射面32から出射した後の光の伝搬方向と光軸Ｘとのなす角度を第２屈折角θ２とする。このとき、出射面32は、第１屈折角θ１に対する第２屈折角θ２の比θ２／θ１が１よりも大きくなり(θ２／θ１＞１)、且つ第１屈折角θ１が増加するにつれて前記比が一旦増大した後、徐々に前記比が減少するような変化を生じさせる形状に形成される(図１(ｂ)における実線Ｌ１参照)。なお、第１屈折角θ１が３０°〜４０°の範囲で前記比が極大値を取ることが好ましい。
【００３７】
図１(ｂ)は、本実施形態における光学部材３の前記比(θ２／θ１)と、特許文献１記載の従来例(以下、従来例と略す。)における光制御部材50の比(θ５／θ１)とについて、第１屈折角θ１を横軸として比較した図である。なお、実線Ｌ１が本実施形態、破線Ｌ２が特許文献１記載の従来例を示している。
【００３８】
また、本実施形態における光学部材３で配光制御された光の光路を図２(ａ)に示し、従来例における光制御部材50で配光制御された光の光路を図２(ｂ)に示す。さらに、本実施形態における光学部材３の配光特性を図３(ａ)に示し、従来例における光制御部材50の配光特性を図３(ｂ)に示す。図２及び図３から明らかなように、本実施形態における光学部材３によれば、従来例における光制御部材50に比べて、光軸Ｘとのなす角度が９０°(π／２)に近い角度(図示例では約７５°)において光量が最も多くなっている。
【００３９】
図５(ａ)及び図６(ａ)は、照明ユニットＡにおけるカバー５の発光面の輝度分布を示している。同じく図５(ｂ)及び図６(ｂ)は、従来例の照明器具におけるカバー５の発光面の輝度分布を示している。図５及び図６から明らかなように、本実施形態における照明ユニットＡでは、従来例に比べて、カバー５の発光面(前面)における周辺部分の輝度が高くなっており、発光面における輝度の均斉度が向上している。
【００４０】
ところで、光学ブロック２の複数の光学部材３における出射面32の形状が全て同一でなくてもよい。例えば、図７に示すように周辺の２０個の光学部材３(３Ｂ)の出射面32と、中央部の１６個の光学部材３(３Ａ)の出射面32とが互いに形状(極大値をとる第１屈折角θ１の角度)が異なっていても構わない。例えば、中央部の１６個の光学部材３(３Ａ)には図３(ａ)に示した配光特性を持たせ、周辺の２０個の光学部材３(３Ｂ)には、光量が最も多くなる角度を相対的に小さく(例えば、５０°〜６０°)した配光特性を持たせればよい。
【００４１】
また、光学部材３の入射面30又は出射面32の少なくとも何れか一方に、光を拡散させる拡散部を設ければ、発光面における輝度の均斉度をさらに向上させることができる。なお、拡散部は、例えば、入射面30又は出射面32の一部若しくは全部にシボ加工を施すことで形成可能である。
【００４２】
続いて、本実施形態の照明器具について、図８〜図１２を参照して詳細に説明する。
【００４３】
この照明器具は、器具本体６、照明ユニットＡ、電源装置７、パネル８などで構成される。ただし、以下の説明では、図８において上下左右及び前後の各方向を規定する。
【００４４】
器具本体６は、枠体60、補強板61、ユニット取付板62などで構成される。枠体60は、金属板によって角筒状に形成されている。また、枠体60の前後左右の各側壁が同一寸法に形成されており、上下方向から見た枠体60の外形が正方形となっている(図９(ｂ)参照)。なお、各側壁の上端には、それぞれ内側に突出する突壁600が設けられている。
【００４５】
補強板61は、枠体60を構成する金属板と同種の金属板からなり、帯状の主片610と、主片610の長手方向に沿った側縁より下方に曲げ起こされた側片611と、側片611の下端から主片610と平行に曲げ起こされた取付片612とを有する。そして、各補強板61は、長手方向の両端部が枠体60の突壁600にねじ止めされることで枠体60に取り付けられる(図９(ａ)参照)。
【００４６】
ユニット取付板62は、厚み方向を左右方向に揃えて、前後両側の側壁に両端が固定された帯状の固定片620と、固定片620の上端より左右方向に曲げ起こされた取付片621とを有する。取付片621には、３つの保持孔622が等間隔に形成されている。なお、ユニット取付板62は、取付片621が固定片620の右側に位置する向きに配置されるものと、取付片621が固定片620の左側に位置する向きに配置されるものとがそれぞれ３つずつ設けられている(図９(ａ)参照)。そして、両端の２つのユニット取付板62を除く４つのユニット取付板62は、固定片620同士を密着させた２つを１組として、左右両側の側壁間を３つの空間に仕切る位置に配置されている。そして、左右方向に隣り合う２つのユニット取付板62に対して、最大で３台の照明ユニットＡ(又はパネル８)を前後方向に並べた状態で着脱自在に取り付けることができる(図８参照)。
【００４７】
電源装置７は、商用交流電源から供給される交流電力を直流電力に変換する電力変換回路や電力変換回路の動作を制御する制御回路などが金属製のケースに収納されてなり、一方の補強板61の主片610の下面側にねじ止めして固定される(図８参照)。
【００４８】
また、電源装置７は、枠体60の側壁に取り付けられた電源端子台63と電源線630で接続されるとともに、突壁600の下面に取り付けられた信号端子台64と信号線640で接続される。なお、電源端子台63には交流電力が供給される電灯線(図示せず)が接続され、信号端子台64には点灯・消灯の切換信号などが伝送される伝送線(図示せず)が接続される。つまり、電源端子台63を介して電源装置７の電力変換回路に交流電力が供給され、信号端子台64を介して電源装置７の制御回路に切換信号などが伝送される。
【００４９】
さらに、電源装置７から２本の出力線70が引き出されている。出力線70は、その一端がそれぞれ電力変換回路の出力端に接続され、他端が複数の中継用のレセプタクルコネクタ71に接続されている。各中継用のレセプタクルコネクタ71は、補強板61の取付片612に取り付けられ、各照明ユニットＡのプラグコネクタ16が挿抜自在に接続される(図９(ａ)参照)。
【００５０】
パネル８は、矩形箱状のパネル本体80と、パネル本体80の左右両側の側壁から上方へ延出された一対の延出片81と、延出片81に取り付けられる一対のばね保持体82と、各ばね保持体82に保持されるキックばね83とを有する(図８及び図９(ａ)参照)。なお、キックばね83並びにばね保持体82の構成は、照明ユニットＡに使用されるキックばね43及びばね保持体42とほぼ共通であるから、説明は省略する。
【００５１】
次に、器具本体６に照明ユニットＡ並びにパネル８を取り付けて照明器具を組み立てる手順について説明する。ただし、照明ユニットＡ及びパネル８の器具本体６への取付方法は共通であるので、照明ユニットＡの取付方法についてのみ説明する。
【００５２】
まず、施工者は、ばね保持体42に保持されたキックばね43の両腕部431を近付けるように指で撓ませてユニット取付板62の保持孔622に下から挿入した後、両腕部431から指を離す。そうすると、キックばね43の両腕部431が離れる方向に開き、各キックばね43の引掛部432が保持孔622の周縁に引っ掛かることによって、照明ユニットＡが器具本体６から吊り下げられた状態となる。そして、この状態で、施工者は照明ユニットＡのプラグコネクタ16を補強板61の取付片621に取り付けられている中継用のレセプタクルコネクタ71と接続する。最後に、施工者が照明ユニットＡを下から持ち上げて器具本体６内に押し込むと、キックばね43が保持孔622を通過し、両腕部431がさらに離れる向きに広がる。その結果、キックばね43のばね力により、カバー５の下端部分が僅かに器具本体６の外に突出した状態で照明ユニットＡが器具本体６に保持される。すなわち、本実施形態の照明器具では、照明ユニットＡを器具本体６に着脱自在に保持させる保持手段を、キックばね43とユニット取付板62とで実現している。
【００５３】
なお、メンテナンス等のために照明ユニットＡを器具本体６から取り外す場合、施工者は、キックばね43のばね力に抗して照明ユニットＡを下方に引き下ろせばよい。照明ユニットＡが下方に引き下ろされると、キックばね43の両腕部431が互いに近付く向きに撓み、引掛部432が保持孔622の周縁に引っ掛かることによって、照明ユニットＡが器具本体６から吊り下げられた状態となる。そして、この状態で、キックばね43の両腕部431を近付く向きに撓ませながら保持孔622から引き抜けば、照明ユニットＡを器具本体６から取り外すことができる。
【００５４】
ここで、器具本体６には、前後左右に３箇所ずつで合計９箇所の取付箇所がある(図１１及び図１２参照)。そして、これら９つの取付箇所の何れにも、照明ユニットＡ又はパネル８を取り付けることができる。例えば、図１１(ａ)及び図１２(ａ)に示すように、四隅の４つの取付箇所に照明ユニットＡを取り付けるとともに、残り５つの取付箇所にパネル８を取り付けてもよい。また、図１１(ｂ)及び図１２(ｂ)に示すように、中央の３つの取付箇所に照明ユニットＡを取り付けるとともに、残り６つの取付箇所にパネル８を取り付けてもよい。さらに、図１１(ｃ)及び図１２(ｃ)に示すように、前後方向の両端且つ左右方向の中央の２つの取付箇所に照明ユニットＡを取り付けるとともに、残り７つの取付箇所にパネル８を取り付けてもよい。またさらに、図１１(ｄ)及び図１２(ｄ)に示すように、中央の１つの取付箇所に照明ユニットＡを取り付けるとともに、残り８つの取付箇所にパネル８を取り付けてもよい。また、図１２(ｅ)に示すように、左右両端の６つの取付箇所に照明ユニットＡを取り付けるとともに、残り３つの取付箇所にパネル８を取り付けてもよい。
【００５５】
なお、本実施形態の照明器具は、従来周知のシステム天井用の照明器具である。つまり、システム天井を構成する天井バー(いわゆるＴバー)Ｂの頭部に、器具本体６の枠体60の下端縁から外向きに突出する外鍔部601を載せることにより、照明器具(器具本体６)が天井バーＢに保持される(図１０参照)。
【符号の説明】
【００５６】
１  光源部
３  光学部材
４  筐体
10  発光素子
11  基板
30  入射面
31  媒質部
32  出射面
320  第１出射面
321  第２出射面
θ１  第１屈折角
θ２  第２屈折角
【図１】
2014120289.tif 000003
【図２】
2014120289.tif 000004
【図３】
2014120289.tif 000005
【図４】
2014120289.tif 000006
【図５】
2014120289.tif 000007
【図７】
2014120289.tif 000008
【図８】
2014120289.tif 000009
【図９】
2014120289.tif 000010
【図１０】
2014120289.tif 000011
【図１１】
2014120289.tif 000012
【図１２】
2014120289.tif 000013
【図１３】
2014120289.tif 000014
【図１４】
2014120289.tif 000015
【図６】
2014120289.tif 000016